【事件の表示】
　特許第６４３２８５３号に関する訂正審判事件について、次のとおり審決する。
【結　論】
　特許第６４３２８５３号の特許請求の範囲を本件審判請求書に添付された訂正特許請求の範囲のとおり訂正することを認める。
【理　由】
第１　手続の経緯
　本件訂正審判の請求に係る特許第６４３２８５３号は、平成２４年１月１１日に出願した特願２０１２−３２６４号の一部を、平成２８年４月２８日に新たな特許出願とした特願２０１６−９１１０２号の一部を、平成２９年７月１０日に新たな特許出願とした特願２０１７−１３４９３５号について、平成３０年１１月１６日にその特許権の設定登録がされ、令和元年６月１９日付けで訂正審判の請求がされたものである。
第２　請求の趣旨
　特許第６４３２８５３号の特許請求の範囲を本審判請求書に添付した訂正特許請求の範囲のとおり訂正することを認める、との審決を求める。
第３　本件訂正事項
　本件訂正事項は、特許請求の範囲の
「【請求項１】
　回転可能な無端状の定着ベルトと、
　前記定着ベルトを加熱する加熱部材と、
　前記定着ベルトの内側に配設されたニップ形成部材と、
　前記定着ベルトを介して前記ニップ形成部材と当接することにより前記定着ベルトとの間にニップ部を形成する対向回転体と、
　前記定着ベルトをその軸方向両端部で保持し前記定着ベルトを軸方向両端部間で保持しないベルト保持部材とを有する定着装置において、
　前記ベルト保持部材が、前記定着ベルトの軸方向端部の内側に配設される筒部を有し、
　前記定着ベルトの軸方向端部の軸方向外側で前記ベルト保持部材の筒部の外周に回転可能に嵌められた保護部材を有し、軸方向から見たときに前記保護部材の外周は、前記定着ベルトと当接するニップ形成部材の面よりも前記対向回転体側にあり、
　前記対向回転体と前記ベルト保持部材の筒部とが、軸方向でオーバーラップすることなく前記ベルト保持部材の筒部と前記対向回転体とは軸方向に離間した状態で配置されていることを特徴とする定着装置。
【請求項２】
　前記ベルト保持部材から張り出したフランジ部が、前記定着ベルトの軸方向移動時にその軸方向移動を規制可能であることを特徴とする請求項１記載の定着装置。
【請求項３】
　前記保護部材が、前記定着ベルトと連れ回り可能である請求項１または２記載の定着装置。
【請求項４】
　前記ベルト保持部材の前記筒部の先端と、前記対向回転体の端部とは軸方向に離間した状態で配置されている請求項１〜３何れか１項に記載の定着装置。
【請求項５】
　前記軸方向の離間距離を５ｍｍ以上にした請求項４記載の定着装置。
【請求項６】
　前記定着ベルトに、前記対向回転体および前記ベルト保持部材の双方と接触しない軸方向領域を設けた請求項１〜５何れか１項記載の定着装置。
【請求項７】
　前記定着ベルトに、前記対向回転体、前記ベルト保持部材、および前記ニップ形成部材の何れとも接触しない軸方向領域を設けた請求項１〜５何れか１項記載の定着装置。
【請求項８】
　前記ニップ形成部材の端部は前記対向回転体の端部よりも軸方向中央側にある請求項１〜７の何れか１項に記載の定着装置。
【請求項９】
　前記ニップ形成部材を支持する支持部材を有し、前記ニップ形成部材の端部は前記支持部材の端部よりも軸方向中央側にある請求項１〜７の何れか１項に記載の定着装置。
【請求項１０】
　前記定着ベルトを、前記対向回転体に対して従動回転させる請求項１〜９何れか１項に記載の定着装置。
【請求項１１】
　前記筒部の外周面形状を非真円形状にした請求項１記載の定着装置。
【請求項１２】
　前記ニップ部の下流端で前記ニップ形成部材を前記対向回転体側に突出させた請求項１〜１１何れか１項に記載の定着装置。
【請求項１３】
　前記ベルト保持部材から張り出したフランジ部の端面と前記対向回転体の端部との間の軸方向距離から前記保護部材の厚さを差し引いた値が１０ｍｍ以上である請求項１〜１２何れか１項に記載の定着装置。
【請求項１４】
　前記定着ベルトが、金属材料で形成された基材を有する請求項１〜１３何れか１項に記載の定着装置。
【請求項１５】
　請求項１〜１４の何れかに記載した定着装置を備える画像形成装置。」を、
「【請求項１】
　回転可能な無端状の定着ベルトと、
　前記定着ベルトを加熱する加熱部材と、
　前記定着ベルトの内側に配設されたニップ形成部材と、
　前記定着ベルトを介して前記ニップ形成部材と当接することにより前記定着ベルトとの間にニップ部を形成する対向回転体と、
　前記定着ベルトをその軸方向両端部で保持し前記定着ベルトを軸方向両端部間で保持しないベルト保持部材とを有する定着装置において、
　前記ベルト保持部材が、前記定着ベルトの軸方向端部の内側に配設される筒部を有し、
　前記定着ベルトの軸方向端部の軸方向外側で前記ベルト保持部材の筒部の外周に回転可能に嵌められた保護部材を有し、軸方向から見たときに前記保護部材の外周
の一部
　前記対向回転体と前記ベルト保持部材の筒部とが、軸方向でオーバーラップすることなく前記ベルト保持部材の筒部と前記対向回転体とは軸方向に離間した状態で配置されていることを特徴とする定着装置。
【請求項２】
　前記ベルト保持部材から張り出したフランジ部が、前記定着ベルトの軸方向移動時にその軸方向移動を規制可能であることを特徴とする請求項１記載の定着装置。
【請求項３】
　前記保護部材が、前記定着ベルトと連れ回り可能である請求項１または２記載の定着装置。
【請求項４】
　前記ベルト保持部材の前記筒部の先端と、前記対向回転体の端部とは軸方向に離間した状態で配置されている請求項１〜３何れか１項に記載の定着装置。
【請求項５】
　前記軸方向の離間距離を５ｍｍ以上にした請求項４記載の定着装置。
【請求項６】
　前記定着ベルトに、前記対向回転体および前記ベルト保持部材の双方と接触しない軸方向領域を設けた請求項１〜５何れか１項記載の定着装置。
【請求項７】
　前記定着ベルトに、前記対向回転体、前記ベルト保持部材、および前記ニップ形成部材の何れとも接触しない軸方向領域を設けた請求項１〜５何れか１項記載の定着装置。
【請求項８】
　前記ニップ形成部材の端部は前記対向回転体の端部よりも軸方向中央側にある請求項１〜７の何れか１項に記載の定着装置。
【請求項９】
　前記ニップ形成部材を支持する支持部材を有し、前記ニップ形成部材の端部は前記支持部材の端部よりも軸方向中央側にある請求項１〜７の何れか１項に記載の定着装置。
【請求項１０】
　前記定着ベルトを、前記対向回転体に対して従動回転させる請求項１〜９何れか１項に記載の定着装置。
【請求項１１】
　前記筒部の外周面形状を非真円形状にした請求項１記載の定着装置。
【請求項１２】
　前記ニップ部の下流端で前記ニップ形成部材を前記対向回転体側に突出させた請求項１〜１１何れか１項に記載の定着装置。
【請求項１３】
　前記ベルト保持部材から張り出したフランジ部の端面と前記対向回転体の端部との間の軸方向距離から前記保護部材の厚さを差し引いた値が１０ｍｍ以上である請求項１〜１２何れか１項に記載の定着装置。
【請求項１４】
　前記定着ベルトが、金属材料で形成された基材を有する請求項１〜１３何れか１項に記載の定着装置。
【請求項１５】
　請求項１〜１４の何れかに記載した定着装置を備える画像形成装置。」
に訂正するものである。なお、下線部分が訂正箇所である。
第４　当審の判断
１　訂正の目的の適否について
（１）　訂正前の請求項１に係る特許発明では、定着ベルトと当接するニップ形成部材の面よりも対向回転体側にある「保護部材の外周」が、「保護部材の外周の全部」であるのか「保護部材の外周の一部」であるのか特定されていない。
　それに対して、訂正後の請求項１に係る特許発明では、定着ベルトと当接するニップ形成部材の面よりも対向回転体側にある「保護部材の外周」が、「保護部材の外周の一部」に限定されており、本件訂正事項は、特許法第１２６条第１項ただし書第１号に規定する特許請求の範囲の減縮を目的とするものと認められる。
（２）　また、訂正前の請求項１の記載では、「保護部材の外周」の一部が、定着ベルトと当接するニップ形成部材の面よりも前記対向回転体側にあることが明瞭でなかったが、本件訂正事項によって、「保護部材の外周の一部」が、定着ベルトと当接するニップ形成部材の面よりも前記対向回転体側にあることが明らかになっている。
　したがって、本件訂正事項は、特許法第１２６条第１項ただし書第３項に規定する明瞭でない記載の釈明を目的とするものとも認められる。
２　実質上特許請求の範囲を拡張し、又は変更するか否かについて
（１）　上記１（１）で検討したとおり、本件訂正事項を、特許請求の範囲の減縮を目的とするものと解した場合には、「保護部材の外周」の全部が、定着ベルトと当接するニップ形成部材の面よりも対向回転体側にあることも、「保護部材の外周」の一部が、定着ベルトと当接するニップ形成部材の面よりも対向回転体側にあることも包含していた訂正前の請求項１の記載を、「保護部材の外周の一部」が、定着ベルトと当接するニップ形成部材の面よりも対向回転体側にあるものに減縮するものであるから、本件訂正事項は、実質上特許請求の範囲を拡張し、又は変更するものではない。
（２）　上記１（２）で検討したとおり、本件訂正事項を、明瞭でない記載の釈明を目的とするものと解した場合には、訂正前後で実質的な内容に差がないことから、本件訂正事項は、実質上特許請求の範囲を拡張し、又は変更するものではない。
（３）　したがって、本件訂正事項は、特許法第１２６条第６項の規定に適合するものである。
３　願書に添付した明細書、特許請求の範囲又は図面に記載した事項の範囲内においてしたものか否かについて
　願書に添付した明細書には、以下の記載がある。
（１）　「【００３３】
　次に、図２に基づき、上記定着装置２０の構成について説明する。
　図２に示すように、
定着装置２０は、回転可能な定着回転体としての定着ベルト２１と、定着ベルト２１に対向して回転可能に設けられた対向回転体としての加圧ローラ２２と、
定着ベルト２１の内側に配設されたニップ形成部材２４と、
定着ベルト２１の両端部を保持するベルト保持部材４０（図３（ａ）〜（ｃ）参照）と、加圧ローラ２２を定着ベルト２１へ加圧する図示しない加圧手段等を備えている。
【００３４】
　上記定着ベルト２１は、薄肉で可撓性を有する無端状のベルト部材（フィルムも含む）で構成されている。詳しくは、定着ベルト２１は、ニッケルもしくはＳＵＳ等の金属材料又はポリイミド（ＰＩ）などの樹脂材料で形成された内周側の基材と、テトラフルオロエチレン−パーフルオロアルキルビニルエーテル共重合体（ＰＦＡ）又はポリテトラフルオロエチレン（ＰＴＦＥ）などで形成された外周側の離型層によって構成されている。また、基材と離型層との間に、シリコーンゴム、発泡性シリコーンゴム、又はフッ素ゴム等のゴム材料で形成された弾性層を介在させてもよい。
【００３５】
　上記加圧ローラ２２は、芯金２２ａと、芯金２２ａの表面に設けられた発泡性シリコーンゴム、シリコーンゴム、又はフッ素ゴム等から成る弾性層２２ｂと、弾性層２２の表面に設けられたＰＦＡ又はＰＴＦＥ等から成る離型層２２ｃによって構成されている。
加圧ローラ２２は、図示しない加圧手段によって定着ベルト２１側へ加圧され定着ベルト２１を介してニップ形成部材２４に当接している。
（２）　「【００５８】
　図３（ａ）（ｂ）に示すように、
定着ベルト２１の軸方向端面とそれに対向するベルト保持部材４０の対向面（フランジ部４０ｂの端面４０１）との間には、定着ベルト２１の端部を保護する保護部材としてのスリップリング４１が配置されている。これにより、定着ベルト２１に軸方向の寄りが生じた場合に、定着ベルト２１の端部がベルト保持部材４０のフランジ部４０ｂの端面４０１に直接当接するのを防止することができ、端部の摩耗や破損を防ぐことができる。スリップリング４１は、ベルト保持部材４０の円筒部４０ａの外周に余裕を持って嵌められているため、定着ベルト２１の端部がスリップリング４１に接触した際に、スリップリング４１は定着ベルト２１と連れ回り可能となっている。
（３）　上記（１）の記載から、つぎのア及びイがいえる。
ア　加圧ローラ２２は、定着ベルト２１を介してニップ形成部材２４に当接することから、定着ベルト２１と当接するニップ形成部材２４の面よりも、加圧ローラ２２側にある定着ベルト２１の部分が存在する。
イ　定着ベルト２１はニップ形成部材２４の内側に配設されることから、定着ベルト２１と当接するニップ形成部材２４の面よりも、加圧ローラ２２とは反対側にある定着ベルト２１の部分も存在する。
（４）　また、上記（２）の記載から、保護部材であるスリップリング２１は、定着ベルト２１の端部が、接触することで、定着ベルト２１の端部がベルト保持部材４０のフランジ部４０ｂの端面４０１に直接当接するのを防止することができ、端部の摩耗や破損を防ぐことができるという作用機能から鑑みて、スリップリング２１は、定着ベルト２１の全周にわたって存在するものと認められる。
（５）　上記（３）及び（４）から、定着ベルト２１の全周にわたって存在するスリップリング２１も、定着ベルト２１と当接するニップ形成部材２４の面よりも加圧ローラ２２側と、それと反対側の両方に存在することは、明らかである。
　よって、本件訂正事項は、願書に添付した明細書、特許請求の範囲又は図面に記載した事項の範囲内においてしたものといえ、特許法第１２６条第５項の規定に適合するものである。
４　独立特許要件について
　上記１（１）で検討したとおり、本件訂正事項は、特許請求の範囲の減縮を目的とする訂正と認めることもできるので、訂正後における特許請求の範囲に記載されている事項により特定される発明が特許出願の際独立して特許を受けることができるものであるかどうか検討したところ、訂正後の請求項１ないし１５に係る発明が特許出願の際独立して特許を受けることができないとする新たな理由はない。 
　したがって、本件訂正事項は、特許法第１２６条第７項の規定に適合する。
５　むすび
　したがって、本件訂正審判の請求は、特許法第１２６条第１項ただし書第１号又は第３号に掲げる事項を目的とし、かつ、同条第５ないし７項の規定に適合する。
　よって、結論のとおり審決する。